(57)【要約】【課題】失語症患者が任意に選んだ物に対して発声発音の練習を行う。【解決手段】固有の識別情報となるタグＩＤが読み取り可能に書き込まれたＩＣタグ１０と、ＩＣタグ１０が取り付けられた物品１０ａの名称をＩＣタグ１０のタグＩＤと対応づけて管理しておき、ＩＣタグ１０からタグＩＤを読み取り、読み取ったタグＩＤに対応づけて管理している物品１０ａの名称を音声情報として出力する携帯端末２０とを有する。【選択図】図１
2007147855.tif 000002
【特許請求の範囲】
【請求項１】
音声情報を出力し、該音声情報を用いて発声発音の練習を支援する発声発音練習支援システムであって、
固有の識別情報を読み取り可能に保持する情報保持体と、
前記情報保持体から前記識別情報を読み取る情報読取手段と、
前記識別情報と対応づけて言語情報を管理し、前記情報読取手段にて読み取られた識別情報に対応づけて管理している言語情報を音声情報として出力する音声処理手段とを有する発声発音練習支援システム。
【発明の詳細な説明】
【技術分野】
【０００１】
本発明は、失語症患者に対して発声発音の練習を支援する発声発音練習支援システムに関し、特に、失語症患者に聴覚によって発声発音を練習させるための発声発音練習支援システムに関する。
【背景技術】
【０００２】
失語症とは、脳卒中等の病気や事故によって脳が損傷を受けた結果、それまでに脳に記憶された言葉の能力が失われ、物の名称が言えなくなったり、間違えて言ってしまったりする障害である。このような障害を持つ失語症患者に対しては、従来より様々な言語練習プログラムが考えられており、それを用いたリハビリテーションが行われている。
【０００３】
例えば、特許文献１には、指定された母音を発音させたり、継続して息を出させたり、一定の大きさで声を出させたりする発声発音練習装置が記載されている。この発声発音練習装置においては、言語聴覚士やＣＤ−ＲＯＭに格納されたソフトウェアによって発声動作が指定され、失語症患者はそれに応じた発声動作を行うことになる。
【特許文献１】特開平１１−３５２８７５号公報
【発明の開示】
【発明が解決しようとする課題】
【０００４】
上述したような発声発音練習装置においては、言語聴覚士やＣＤ−ＲＯＭに格納されたソフトウェアによって、失語症患者が行う発声動作が一義的に決められてしまうため、失語症患者が自分で任意に選んだ物に対して発声発音の練習を行うことができないという問題点がある。
【０００５】
本発明は、上述したような従来の技術が有する問題点に鑑みてなされたものであって、失語症患者が任意に選んだ物に対して発声発音の練習を行うことができる発声発音練習支援システムを提供することを目的とする。
【課題を解決するための手段】
【０００６】
上記目的を達成するために本発明は、
音声情報を出力し、該音声情報を用いて発声発音の練習を支援する発声発音練習支援システムであって、
固有の識別情報を読み取り可能に保持する情報保持体と、
前記情報保持体から前記識別情報を読み取る情報読取手段と、
前記識別情報と対応づけて言語情報を管理し、前記情報読取手段にて読み取られた識別情報に対応づけて管理している言語情報を音声情報として出力する音声処理手段とを有する。
【０００７】
上記のように構成された本発明においては、物品に取り付けられた情報保持体に保持された識別情報が情報読取手段にて読み取られると、読み取られた識別情報は音声処理手段に与えられる。音声処理手段においては、情報保持体に保持された識別情報毎に、その識別情報が保持された情報保持体が取り付けられる物品の名称が言語情報として対応づけて管理されており、情報読取手段にて読み取られた識別情報に対応づけて管理された言語情報が音声情報として出力される。
【０００８】
このように、物品に取り付けられた情報保持体から識別情報が読み取られると、その物品の名称が音声情報として出力されるので、失語症患者が任意の物品に対して、出力される音声情報を用いて発声発音の練習を行うことができるようになる。
【発明の効果】
【０００９】
以上説明したように本発明においては、物品に取り付けられた情報保持体から識別情報を読み取ることによりその物品の名称が音声情報として出力される構成としたため、失語症患者が任意に選んだ物品に取り付けられた情報保持体から識別情報を読み取るだけでその物品の名称が音声情報として出力されることとなり、失語症患者が任意に選んだ物に対して発声発音の練習を行うことができる。また、その際、失語症患者が実際に物品を手に取って識別情報を読み取ることにより、聴覚のみでなく視覚や触覚によっても失語症患者の脳に刺激を与え、発声発音の練習の効果を高めることができる。
【発明を実施するための最良の形態】
【００１０】
以下に、本発明の実施の形態について図面を参照して説明する。
【００１１】
（第１の実施の形態）
図１は、本発明の発声発音練習支援システムの第１の実施の形態を示す図である。
【００１２】
本形態は図１に示すように、物品１０ａに取り付けられ、非接触状態にて情報の読み取りが可能な情報保持体であるＩＣタグ１０と、ＩＣタグ１０から情報を読み取り、読み取った情報を用いて物品１０ａの名称を音声及び表示出力するリストバンド型の携帯端末２０とから構成されている。ＩＣタグ１０には、固有の識別情報となるタグＩＤが書き込まれ、このタグＩＤが非接触状態にて読み取り可能なＩＣチップ（不図示）が内蔵されるとともに、このＩＣチップに書き込まれたタグＩＤを外部から読み取るためのアンテナ（不図示）が設けられている。このＩＣタグ１０は、取り付けられる物品１０ａの形状に応じて、ラベル状として物品１０ａに貼付することにより取り付けられることや、物品１０ａに設けられた嵌合部に嵌め込まれることにより取り付けられること等が考えられる。また、携帯端末２０は、本体部２０ａとバンド部２０ｂとから構成され、利用者がバンド部２０ｂを腕に巻き付けることにより携帯して利用することができる。
【００１３】
図２は、図１に示した携帯端末２０の本体部２０ａの構成を示すブロック図である。
【００１４】
本形態における携帯端末２０の本体部２０ａは図２に示すように、アンテナ２１と、情報読取部２２と、言語情報管理部２３と、操作部２４と、言語情報抽出部２５と、音声変換部２６と、音声出力部２７と、表示部２８とから構成されており、言語情報管理部２３、言語情報抽出部２５、音声変換部２６及び音声出力部２７から音声処理部２９が構成される。
【００１５】
情報読取部２２は、ＩＣタグ１０に書き込まれたタグＩＤを読み取るものであり、ＩＣタグ１０に書き込まれたタグＩＤをアンテナ２１を介して非接触状態にて読み取る。その方式としては、電磁誘導方式や電波方式等、様々なものが考えられる。
【００１６】
言語情報管理部２３は、メモリ（不図示）を有し、ＩＣタグ１０のＩＣチップに書き込まれたＩＣタグ１０固有の識別情報となるタグＩＤと、そのＩＣタグ１０が取り付けられる物品１０ａの名称とを対応づけてそのメモリに登録して管理する。この物品１０ａの名称は、本発明の言語情報となるものであって、テキスト情報としてメモリに登録される。
【００１７】
操作部２４は、ＩＣタグ１０が取り付けられる物品１０ａの名称や、この携帯端末２０を所持して利用する利用者の障害のレベル及び属性を入力するためのものである。
【００１８】
言語情報抽出部２５は、言語情報管理部２３にて管理されている言語情報の中から、情報読取部２２にて読み取られたタグＩＤに対応づけられて管理され、かつ操作部２４を介して入力された利用者の障害のレベル及び属性に応じた言語情報を抽出する。
【００１９】
音声変換部２６は、言語情報抽出部２５にて抽出された言語情報を音声変換ソフトウェアによって音声情報に変換する。
【００２０】
音声出力部２７は、スピーカからなり、音声変換部２６にて変換された音声情報を出力する。
【００２１】
表示部２８は、ディスプレイ及びドライバからなり、言語情報抽出部２５にて抽出された言語情報を表示出力する。
【００２２】
以下に、上記のように構成された発声発音練習支援システムの利用方法について説明する。
【００２３】
まず、携帯端末２０の言語情報管理部２３における言語情報の管理方法について説明する。
【００２４】
ＩＣタグ１０を発行する際、そのＩＣタグ１０のＩＣチップに書き込まれたＩＣタグ１０固有のタグＩＤを読み取り、このタグＩＤと、ＩＣタグ１０が取り付けられる物品１０ａの名称とを携帯端末２０に与える。携帯端末２０においては、例えば、情報読取部２２にてタグＩＤが読み取られ、また、操作部２４を介して物品１０ａの名称が入力される。この際、物品１０ａの名称については、利用者の障害のレベル及び属性に応じて選択可能となるように複数入力される。例えば、障害のレベルについては、物品１０ａの名称全てと物品１０ａの名称のうち一部とが、障害のレベルを特定するための「Ａ」，「Ｂ」等といった情報に対応づけてそれぞれ入力される。また、属性については、物品１０ａの名称を日本語で表現した場合と英語で表現した場合とが、属性を特定するための「日本語」，「英語」等といった情報に対応づけてそれぞれ入力される。このような操作部２４を介しての情報の入力は、携帯端末２０に予め格納されたユーザインターフェースに従って行われることになる。
【００２５】
言語情報管理部２３においては、このようにして与えられたタグＩＤと物品１０ａの名称とが、利用者の障害のレベル及び属性によって対応づけてメモリに登録されて管理される。
【００２６】
図３は、図２に示した言語情報管理部２３にて管理される言語情報を示す図である。
【００２７】
図３に示すように、図２に示した言語情報管理部２３においては、物品１０ａに取り付けられるＩＣタグ１０のタグＩＤに対応づけて物品１０ａの名称が言語情報となるメッセージとして管理される。また、１つのタグＩＤ、すなわち１つの物品１０ａに対して、利用者の障害のレベル及び属性毎にそれぞれ２つずつのメッセージが登録されている。
【００２８】
図３に示した例においては、タグＩＤが「０１２」のＩＣタグ１０が「水」に取り付けられる場合であって、そのメッセージとして、日本語では「ミズ」、英語では「ウォーター」が登録されている。また、これらのメッセージのそれぞれに対して、利用者の障害のレベルに応じて２つずつのメッセージが登録されている。日本語の「ミズ」に対しては、障害のレベルが「Ａ」の場合として「ミズ」、障害のレベルが「Ｂ」の場合として「ミ」がそれぞれ登録されており、英語の「ウォーター」に対しては、障害のレベルが「Ａ」の場合として「ウォーター」、障害のレベルが「Ｂ」の場合として「ウォ」がそれぞれ登録されている。これは、障害のレベルが「Ａ」の場合は、利用者の障害のレベルが高く、ＩＣタグ１０が取り付けられた物品１０ａの名称の全てをメッセージとして音声出力する必要があり、また、障害のレベルが「Ｂ」の場合は、利用者の障害のレベルが低く、ＩＣタグ１０が取り付けられた物品１０ａの名称の一部をメッセージとして音声出力すればよいためである。
【００２９】
次に、上述したように言語情報が携帯端末２０に登録された発声発音練習支援システムの利用方法について説明する。
【００３０】
図４は、図１及び図２に示した発声発音練習支援システムの利用方法を説明するためのフローチャートである。
【００３１】
まず、携帯端末２０のバンド部２０ｂを腕に巻き付けることにより携帯端末２０を所持した利用者は、携帯端末２０の操作部２４を介して、利用者の障害のレベルと属性とを入力する。
【００３２】
すると、言語情報抽出部２５において、操作部２４を介して入力された利用者の障害のレベルと属性とが、言語情報管理部２３にて管理されている言語情報となるメッセージを抽出する際の条件として設定される。本形態においては、利用者の障害のレベルとして「Ａ」が設定され、属性として「日本語」が設定されるものとする。
【００３３】
そして、利用者が、携帯端末２０を物品１０ａに取り付けられたＩＣタグ１０に近接させると、ＩＣタグ１０のＩＣチップに書き込まれたタグＩＤがアンテナ２１を介して情報読取部２２にて読み取られる（ステップＳ１）。
【００３４】
すると、言語情報抽出部２５において、言語情報管理部２３にて管理されているメッセージの中から、情報読取部２２にて読み取られたタグＩＤに対応づけられて管理され、かつ操作部２４を介して入力された利用者のレベル及び属性によって設定された条件に応じたメッセージが検索、抽出される（ステップＳ２）。上述したように本形態においては、利用者の障害のレベルとして「Ａ」が設定され、属性として「日本語」が設定されているため、ステップＳ１にて読み取られたタグＩＤが「０１２」であれば、「ミズ」というメッセージが抽出されることになる。
【００３５】
その後、音声変換部２６において、言語情報抽出部２５にて抽出されたメッセージが音声情報に変換され（ステップＳ３）、「ミズ」の音声情報として音声出力部２７から出力される（ステップＳ４）。これにより、利用者は、携帯端末２０を近接させた物品１０ａの名称である「ミズ」というメッセージを聴覚により認識することになり、このメッセージに倣って「ミズ」と発声練習することができる。
【００３６】
また、表示部２８において、言語情報抽出部２５にて抽出されたメッセージが表示出力される（ステップＳ５）。これにより、利用者は、携帯端末２０を近接させた物品１０ａの名称である「ミズ」というメッセージを視覚によっても認識することができる。
【００３７】
また、利用者の障害レベルが「Ｂ」の場合は、「ミ」というメッセージが、音声出力部２７から音声出力されるとともに表示部２８にて表示出力され、利用者は、ＩＣタグ１０が取り付けられた物品１０ａの名称の一部が「ミ」であることから「ミズ」を発想し、「ミズ」と発声練習することができる。
【００３８】
なお、本形態においては、１つのタグＩＤに対して、利用者の障害のレベル及び属性毎にそれぞれ２つずつのメッセージを登録しておき、その後、操作部２４を介して入力された利用者の障害のレベルと属性とが、言語情報管理部２３にて管理されているメッセージを抽出する際の条件として設定されるが、言語情報管理部２３にメッセージを登録する際に、１つのタグＩＤに対して、利用者の障害レベル及び属性に応じたメッセージのみを登録しておくことも考えられる。ただし、本形態のように、１つのタグＩＤに対して、利用者の障害のレベル及び属性毎にそれぞれ２つずつのメッセージを登録しておけば、利用者の障害のレベルと属性とを後に指定することになるため、障害のレベルや属性が異なる複数の利用者が利用することができる。
【００３９】
また、本形態においては、言語情報抽出部２５にて抽出されたメッセージが、音声変換部２６にて音声情報に変換されて音声出力部２７を介して出力されるとともに、表示部２８にて表示されるものを例に挙げて説明したが、言語情報抽出部２５にて抽出されたメッセージが音声変換部２６にて音声情報に変換されて音声出力部２７を介して出力される構成であれば、表示部２８における表示出力は必ずしも行わなくてもよい。また、表示部２８における表示出力は、言語情報抽出部２５にて抽出されたメッセージ以外の情報を出力するものであってもよい。
【００４０】
また、図３に示した情報は、携帯端末２０の直接入力されるものではなく、パーソナルコンピュータ等の情報処理機器に入力された後、携帯端末２０に送信する等して付与することも考えられる。
【００４１】
（第２の実施の形態）
図５は、本発明の発声発音練習支援システムの第２の実施の形態を示す図である。
【００４２】
本形態は図５に示すように、物品１１０ａに取り付けられ、非接触状態にて情報の読み取りが可能な情報保持体であるＩＣタグ１１０と、ＩＣタグ１１０から情報を読み取るリストバンド型の携帯端末１２０と、携帯端末１２０にて読み取られた情報を用いて物品１１０ａの名称を音声及び表示出力するノートＰＣ１３０とから構成されている。ＩＣタグ１１０には、固有の識別情報となるタグＩＤが書き込まれ、このタグＩＤが非接触状態にて読み取り可能なＩＣチップ（不図示）が内蔵されるとともに、このＩＣチップに書き込まれたタグＩＤを外部から読み取るためのアンテナ（不図示）が設けられている。このＩＣタグ１１０は、取り付けられる物品１１０ａの形状に応じて、ラベル状として物品１１０ａに貼付することにより取り付けられることや、物品１１０ａに設けられた嵌合部に嵌め込まれることにより取り付けられること等が考えられる。また、携帯端末１２０は、本体部１２０ａとバンド部１２０ｂとから構成され、利用者がバンド部１２０ｂを腕に巻き付けることにより携帯して利用することができる。
【００４３】
図６は、図５に示した携帯端末１２０の本体部１２０ａの構成を示すブロック図である。
【００４４】
本形態における携帯端末１２０の本体部１２０ａは図６に示すように、アンテナ１２１と、情報読取部１２２と、操作部１２３と、利用者情報管理部１２４と、制御部１２５と、通信部１２６とから構成されている。
【００４５】
情報読取部１２２は、ＩＣタグ１１０に書き込まれたタグＩＤを読み取るものであり、ＩＣタグ１１０に書き込まれたタグＩＤをアンテナ１２１を介して非接触状態にて読み取る。その方式としては、電磁誘導方式や電波方式等、様々なものが考えられる。
【００４６】
操作部１２３は、利用者の障害のレベル及び属性を入力するためのものである。
【００４７】
利用者情報管理部１２４は、操作部１２３を介して入力された利用者の障害のレベル及び属性を管理する。
【００４８】
通信部１２６は、ノートＰＣ１３０と同一の通信プロトコル、例えばBlouetoothインターフェースによってノートＰＣ１３０と通信を行い、情報読取部１２２にて読み取られたタグＩＤと利用者情報管理部１２４にて管理されている利用者の障害のレベル及び属性をノートＰＣ１３０に送信する。
【００４９】
制御部１２５は、情報読取部１２２にて読み取られたタグＩＤと利用者情報管理部１２４にて管理されている利用者の障害のレベル及び属性を通信部１２６に与える。
【００５０】
図７は、図５に示したノートＰＣ１３０の構成を示すブロック図である。
【００５１】
本形態におけるノートＰＣ１３０は図７に示すように、操作部１３１と、通信部１３２と、言語情報管理部１３３と、言語情報抽出部１３４と、音声変換部１３５と、音声出力部１３６と、表示部１３７とから構成されており、言語情報管理部１３３、言語情報抽出部１３４、音声変換部１３５及び音声出力部１３６から音声処理部１３８が構成される。
【００５２】
操作部１３１は、ＩＣタグ１１０が取り付けられる物品１１０ａの名称を入力するためのものである。
【００５３】
通信部１３２は、携帯端末１２０と同一の通信プロトコル、例えばBlouetoothインターフェースによって携帯端末１２０と通信を行い、携帯端末１２０から送信されてきたタグＩＤや、利用者の障害のレベル及び属性を受信する。
【００５４】
言語情報管理部１３３は、メモリ（不図示）を有し、ＩＣタグ１１０のＩＣチップに書き込まれたＩＣタグ１１０固有の識別情報となるタグＩＤと、そのＩＣタグ１１０が取り付けられる物品１１０ａの名称とを対応づけてそのメモリに登録して管理する。この物品１１０ａの名称は、本発明の言語情報となるものであって、テキスト情報としてメモリに登録される。
【００５５】
言語情報抽出部１３４は、言語情報管理部１３４にて管理されている言語情報の中から、通信部１３２を介して受信されたタグＩＤ、利用者の障害のレベル及び属性に応じた言語情報を抽出する。
【００５６】
音声変換部１３５は、言語情報抽出部１３４にて抽出された言語情報を音声変換ソフトウェアによって音声情報に変換する。
【００５７】
音声出力部１３６は、スピーカからなり、音声変換部１３５にて変換された音声情報を出力する。
【００５８】
表示部１３７は、ディスプレイ及びドライバからなり、言語情報抽出部１３４にて抽出された言語情報を表示出力する。
【００５９】
以下に、上記のように構成された発声発音練習支援システムの利用方法について説明する。
【００６０】
まず、ノートＰＣ１３０の言語情報管理部１３３における言語情報の管理方法について説明する。
【００６１】
ＩＣタグ１１０を発行する際、そのＩＣタグ１１０のＩＣチップに書き込まれたＩＣタグ１１０固有のタグＩＤを読み取り、このタグＩＤと、ＩＣタグ１１０が取り付けられる物品１１０ａの名称とをノートＰＣ１３０に与える。ノートＰＣ１３０においては、例えば、ノートＰＣ１３０に接続されたリーダ（不図示）にてタグＩＤが読み取られ、また、操作部１３１を介して物品１１０ａの名称が入力される。この際、物品１１０ａの名称については、利用者の障害のレベル及び属性に応じて選択可能となるように複数入力される。例えば、障害のレベルについては、物品１１０ａの名称全てと物品１１０ａの名称のうち一部とが、障害のレベルを特定するための「Ａ」，「Ｂ」等といった情報に対応づけてそれぞれ入力される。また、属性については、物品１１０ａの名称を日本語で表現した場合と英語で表現した場合とが、属性を特定するための「日本語」，「英語」等といった情報に対応づけてそれぞれ入力される。このような操作部１３１を介しての情報の入力は、ノートＰＣ１３０に予め格納されたユーザインターフェースに従って行われることになる。
【００６２】
言語情報管理部１３３においては、このようにして与えられたタグＩＤと物品１１０ａの名称とが、図３に示したものと同様に、利用者の障害のレベル及び属性によって対応づけてメモリに登録されて管理される。
【００６３】
次に、上述したように言語情報が携帯端末２０に登録された発声発音練習支援システムの利用方法について説明する。
【００６４】
図８は、図５〜図７に示した発声発音練習支援システムの利用方法を説明するためのフローチャートである。
【００６５】
まず、携帯端末１２０のバンド部１２０ｂを腕に巻き付けることにより携帯端末１２０を所持した利用者は、携帯端末１２０の操作部１２３を介して、利用者の障害のレベルと属性とを入力する。
【００６６】
すると、利用者情報管理部１２４において、操作部１２３を介して入力された利用者の障害のレベルと属性とが登録、管理される。本形態においては、利用者の障害のレベルとして「Ａ」が登録され、属性として「日本語」が登録されるものとする。
【００６７】
そして、利用者が、携帯端末１２０を物品１１０ａに取り付けられたＩＣタグ１１０に近接させると、ＩＣタグ１１０のＩＣチップに書き込まれたタグＩＤがアンテナ１２１を介して情報読取部１２２にて読み取られる（ステップＳ１１）。
【００６８】
すると、制御部１２５において、情報読取部１２２にて読み取られたタグＩＤと、利用者情報管理部１２４にて管理されている利用者の障害のレベル及び属性とが通信部１２６に与えられ、これらの情報が通信部１２６を介して送信される（ステップＳ１２）。
【００６９】
携帯端末１２０の通信部１２６を介して送信された、タグＩＤ、並びに利用者の障害のレベル及び属性は、ノートＰＣ１３０の通信部１３２を介して受信される（ステップＳ１３）。
【００７０】
すると、言語情報抽出部１３４において、言語情報管理部１３３にて管理されているメッセージの中から、通信部１３２を介して受信されたタグＩＤ、並びに利用者の障害のレベル及び属性に対応づけられて管理されたメッセージが検索、抽出される（ステップＳ１４）。上述したように本形態においては、障害のレベルとして「Ａ」が設定され、属性として「日本語」が設定されているため、通信部１３２を介して受信されたタグＩＤが「０１２」であれば、「ミズ」というメッセージが抽出されることになる。
【００７１】
その後、音声変換部１３５において、言語情報抽出部１３４にて抽出されたメッセージが音声情報に変換され（ステップＳ１５）、「ミズ」の音声情報として音声出力部１３６から出力される（ステップＳ１６）。これにより、利用者は、携帯端末１２０を近接させた物品１１０ａの名称である「ミズ」というメッセージを聴覚により認識することになり、このメッセージに倣って「ミズ」と発声練習することができる。
【００７２】
また、表示部１３７において、言語情報抽出部１３４にて抽出されたメッセージが表示出力される（ステップＳ１７）。これにより、利用者は、携帯端末１２０を近接させた物品１１０ａの名称である「ミズ」というメッセージを視覚によっても認識することができる。
【００７３】
また、利用者の障害レベルが「Ｂ」の場合は、「ミ」というメッセージが、音声出力部１３６から音声出力されるとともに表示部１３７にて表示出力され、利用者は、ＩＣタグ１１０が取り付けられた物品１１０ａの名称の一部が「ミ」であることから「ミズ」を発想し、「ミズ」と発声練習することができる。
【００７４】
なお、本形態においては、利用者の障害のレベル及び属性を携帯端末１２０にて管理しておき、ＩＣタグ１１０からタグＩＤが読み取られた際に、このタグＩＤとともに利用者の障害のレベル及び属性をノートＰＣ１３０に送信するものを例に挙げて説明したが、ノートＰＣ１３０において、利用者の障害のレベル及び属性をその利用者が所持する携帯端末１２０固有の端末ＩＤと対応づけて管理しておき、携帯端末１２０にてＩＣタグ１１０からタグＩＤが読み取られた際に、このタグＩＤとともに携帯端末１２０の端末ＩＤをノートＰＣ１３０に送信し、ノートＰＣ１３０において、携帯端末１２０から送信されてきた携帯端末１２０の端末ＩＤに対応づけて管理された利用者の障害のレベル及び属性を抽出することも考えられる。
【００７５】
また、本形態においては、言語情報抽出部１３４にて抽出されたメッセージが、音声変換部１３５にて音声情報に変換されて音声出力部１３６を介して出力されるとともに、表示部１３７にて表示されるものを例に挙げて説明したが、言語情報抽出部１３４にて抽出されたメッセージが音声変換部１３８にて音声情報に変換されて音声出力部１３６を介して出力される構成であれば、表示部１３７における表示出力は必ずしも行わなくてもよい。また、表示部１３７における表示出力は、言語情報抽出部１３４にて抽出されたメッセージ以外の情報を出力するものであってもよい。例えば、ノートＰＣ１３０に、音声情報を入力するためのマイクを接続し、音声出力部１３６を介して出力された音声情報を利用者に発声させてマイクを介して入力し、この入力された発声情報と音声出力部１３６を介して出力された音声情報とが一致した場合に「正しく発音できました」等といったメッセージを表示すること等が考えられる。また、マイクを介して入力された発声情報と音声出力部１３６を介して出力された音声情報とが不一致であった場合、音声情報を音声出力部１３６を介して再度出力するように制御することも考えられる。
【００７６】
また、上述した２つの実施の形態においては、１つの物品１０ａ，１１０ａについて、利用者の属性に合わせて「日本語」及び「英語」の２つのメッセージが入力されるが、携帯端末２０やノートＰＣ１３０に翻訳ソフトウェアをインストールし、この翻訳ソフトウェアを用いて、１つの物品１０ａ，１１０ａについて「日本語」のみのメッセージを登録することにより、この物品１０ａ，１１０ａについて「英語」のメッセージを自動的に登録するような構成とすることも考えられる。
【００７７】
また、１つの物品１０ａ，１１０ａについて、利用者の障害のレベルに合わせて物品１０ａ，１１０ａの名称全てと物品１０ａ，１１０ａの名称のうち一部とがそれぞれ入力されるが、物品１０ａ，１１０ａの名称全てのみを入力し、携帯端末２０やノートＰＣ１３０において、入力された物品１０ａ，１１０ａの名称から一部のみを抽出し、この抽出した情報と入力された情報とを登録しておく構成とすることも考えられる。
【００７８】
また、上述した２つの実施の形態においては、利用者の障害のレベル及び属性を２つに分けているが、その数は２つに限らない。
【００７９】
また、上述した２つの実施の形態においては、物品１０ａ，１１０ａに取り付けられる情報保持体として、固有の識別情報となるタグＩＤが書き込まれ、このタグＩＤが非接触状態にて読み取り可能なＩＣタグ１０，１１０を例に挙げて説明したが、本発明の情報保持体はこれに限らず、固有の識別情報が読み取り可能に書き込まれているものであれば、バーコードや二次元コードが記載されたラベルやタグ等であってもよい。
【産業上の利用可能性】
【００８０】
本発明は、上述したように失語症患者の発声発音の練習に利用することができるとともに、高齢者の物忘れ防止や治療手段としても利用することができる。また、視覚障害者向けの物品識別や物体存在の音声通知をする訓練システムとして、あるいは、子供向けに、物品の名称と発声を学ばせる学習教材としても利用することができる。
【図面の簡単な説明】
【００８１】
【図１】本発明の発声発音練習支援システムの第１の実施の形態を示す図である。
【図２】図１に示した携帯端末の本体部の構成を示すブロック図である。
【図３】図２に示した言語情報管理部にて管理される言語情報を示す図である。
【図４】図１及び図２に示した発声発音練習支援システムの利用方法を説明するためのフローチャートである。
【図５】本発明の発声発音練習支援システムの第２の実施の形態を示す図である。
【図６】図５に示した携帯端末の本体部の構成を示すブロック図である。
【図７】図５に示したノートＰＣの構成を示すブロック図である。
【図８】図５〜図７に示した発声発音練習支援システムの利用方法を説明するためのフローチャートである。
【符号の説明】
【００８２】
１０，１１０    ＩＣタグ
１０ａ，１１０ａ    物品
２０，１２０    携帯端末
２０ａ，１２０ａ    本体部
２０ｂ，１２０ｂ    バンド部
２１，１２１    アンテナ
２２，１２２    情報読取部
２３，１３３    言語情報管理部
２４，１２３，１３１    操作部
２５，１３４    言語情報抽出部
２６，１３５    音声変換部
２７，１３６    音声出力部
２８，１３７    表示部
２９，１３８    音声処理部
１２４    利用者情報管理部
１２５    制御部
１２６，１３２    通信部
１３０    ノートＰＣ
【図１】
2007147855.tif 000003
【図２】
2007147855.tif 000004
【図３】
2007147855.tif 000005
【図４】
2007147855.tif 000006
【図５】
2007147855.tif 000007
【図６】
2007147855.tif 000008
【図７】
2007147855.tif 000009
【図８】
2007147855.tif 000010